(57)【特許請求の範囲】
【請求項１】
枠体に障子を開閉自在に設けた浴室建具であって、
前記枠体を構成する下枠と縦枠は、下枠の長手方向両端面と縦枠の内側面を突き合わせて接合し、前記下枠の浴室側部の下部に水受け材を、前記下枠と縦枠の接合部よりも下で、かつ水受け材の長手方向端部が、当該下枠と縦枠の接合部よりも下を通って縦枠と下枠の接合部よりも見付け方向外側に突出して設け、
この水受け材の浴室側部を浴室の床まで突出し、その水受け材上の水が浴室の床に流れ落ちるようにしたことを特徴とする浴室建具。
【請求項２】
前記水受け材の浴室側部を、前記浴室の床の脱衣室側縁に設けた排水用の上向きの凹陥部内に入り込むようにした請求項１記載の浴室建具。
【請求項３】
前記下枠の浴室側部は、その下枠の本体部の上面と連続し見込み方向に向かう横向板と、この横向板の浴室側端と連続し下方に向かう縦向板を有し、
前記水受け材は、前記横向板の下面に沿う横板と、前記横向板の脱衣室側面に沿う縦板を有し、
前記下枠の浴室側部の縦向板と、水受け材の縦板が前記凹陥部内に入り込み、その凹陥部の外側縦向部が水受け材の横板の下面と対向した請求項２記載の浴室建具。
【請求項４】
前記水受け材は、その縦板の下部に下横板を有し、
この下横板は縦枠の見付け方向外側面まで連続し、この下横板の浴室側面と下枠の縦向板の下面と縦枠の浴室側下面と前記凹陥部の底面との間を水密材で水密した請求項３記載の浴室建具。
【請求項５】
前記水受け材は、その縦板の下部に下横板を有し、この下横板と、横板の脱衣室側に係止部をそれぞれ設け、
前記下枠の本体部の浴室側と、浴室側部の縦向板の下部に、前記係止部が係止する係止受部をそれぞれ設け、
前記係止部を係止受部に係止して水受け材を取り付けた請求項３記載の浴室建具。
【請求項６】
枠体に障子を開閉自在に設けた浴室建具であって、
前記枠体を構成する下枠の浴室側部の下部に水受け材を設け、
この水受け材は、前記浴室側部の下部に設けられる本体部と、この本体部の長手方向両端部に設けた水受け部、ポケット部を有し、
前記水受け部は、本体部の脱衣室寄りと連続した上向きで、前記枠体を構成する縦枠の外側面と対向して縦枠と下枠の浴室側部の接合部から漏れた浴室内の水を受け止め、
前記ポケット部は、本体部の浴室寄りと連続した上面が開口した箱形状で、前記水受け部で受け止めた水を溜めるようにしたことを特徴とする浴室建具。
【請求項７】
前記下枠の浴室側部は、本体部の上面と連続した見込み方向の横向板と、この横向板の浴室側端と連続した下向きの縦向板を有し、
前記水受け材の本体部は、前記横向板の下面に沿う横板と、この横板と連続し縦向板の脱衣室側面に沿う縦板と、この縦板の下部と連続し浴室側に向かう下横板を有し、
前記水受け部は、前記横板の長手方向端部と連続した上向き片を有し、この上向き片が縦枠の本体部の外側面と対向し、
前記ポケット部は、縦枠の取付部の浴室側の下部が嵌まり合うようにした請求項６記載の浴室建具。
【請求項８】
前記下枠の浴室側部、水受け材のポケット部、縦枠の浴室側部を浴室の床の脱衣室側縁に設けた排水用の上向きの凹陥部内に入り込むようにした請求項６又は７記載の浴室建具。
【請求項９】
床パンと壁パネルを有し、その出入口に請求項１〜８いずれか１項に記載の浴室建具を取り付けたことを特徴とする浴室建具付きユニットバス。
【発明の詳細な説明】
【技術分野】
【０００１】
本発明は、浴室の出入口に設ける浴室建具及び浴室建具を備えた浴室建具付きユニットバスに関する。
【背景技術】
【０００２】
浴室の出入口に設ける浴室建具としては、上枠、下枠と左右の縦枠を連結した枠体に、障子を開閉自在に設けたものが知られている（特許文献１）。
前記上枠、下枠と縦枠は、上枠、下枠の長手方向端面を左右の縦枠の見付け方向の内側の面、つまり内側面に突き当て、ビス等の固着具で固着して接合して連結するのが一般的である。
【先行技術文献】
【特許文献】
【０００３】
【特許文献１】特開２００７−７０８８８号公報
【発明の概要】
【発明が解決しようとする課題】
【０００４】
浴室建具を浴室の出入口に設けた状態では、その枠体の下枠における浴室寄りに浴室内の水がかかるので、下枠の長手方向端面と縦枠の内側面の接合部をシーラーで水密し、下枠にかかった浴室内の水が下枠と縦枠の接合部から漏れることを抑制している。
しかしながら、浴室建具の施工時等に下枠と縦枠の接合部が開き、水密性が低下することがあり、その場合には下枠にかかった浴室内の水が下枠と縦枠の接合部から漏れることがある。
特に、浴室側部が薄い板状の下枠であると、その浴室側部の長手方向端面と縦枠の内側面との接合部の上下寸法が小さく、シーラーによる水密部の上下寸法が小さいので、下枠の浴室側部と縦枠の接合部から浴室内の水が漏れ易い。
このように、下枠と縦枠の浴室側部の接合部から漏れた水は、下枠よりも下方の建物躯体側に流れ、建物躯体の腐蝕等の要因となってしまう。
【０００５】
本発明の目的は、下枠の浴室側部と縦枠の接合部から漏れた浴室内の水が、建物躯体側に流れることがないようにした浴室建具、及びその浴室建具を備えた浴室建具付きユニットバスとすることである。
【課題を解決するための手段】
【０００６】
第１の発明は、枠体に障子を開閉自在に設けた浴室建具であって、
前記枠体を構成する下枠と縦枠は、下枠の長手方向両端面と縦枠の内側面を突き合わせて接合し、前記下枠の浴室側部の下部に水受け材を、前記下枠と縦枠の接合部よりも下で、かつ水受け材の長手方向端部が、当該下枠と縦枠の接合部よりも下を通って縦枠と下枠の接合部よりも見付け方向外側に突出して設け、
この水受け材の浴室側部を浴室の床まで突出し、その水受け材上の水が浴室の床に流れ落ちるようにしたことを特徴とする浴室建具である。
【０００７】
第１の発明においては、前記水受け材の浴室側部を、前記浴室の床の脱衣室側縁に設けた排水用の上向きの凹陥部内に入り込むようにすることができる。
このようにすれば、下枠と縦枠の接合部から漏れた浴室内の水は、水受け材に沿って凹陥部に流れ落ちるので、その水の排水処理が容易である。
【０００８】
第１の発明においては、前記下枠の浴室側部は、その下枠の本体部の上面と連続し見込み方向に向かう横向板と、この横向板の浴室側端と連続し下方に向かう縦向板を有し、
前記水受け材は、前記横向板の下面に沿う横板と、前記横向板の脱衣室側面に沿う縦板を有し、
前記下枠の浴室側部の縦向板と、水受け材の縦板が前記凹陥部内に入り込み、その凹陥部の外側縦向部が水受け材の横板の下面と対向することができる。
このようにすれば、下枠の浴室側部と縦枠の接合部から漏れた浴室内の水は、凹陥部内に流れ込むので、その水の排水処理が容易である。
【０００９】
第１の発明においては、前記水受け材は、その縦板の下部に下横板を有し、
この下横板は縦枠の見付け方向外側面まで連続し、この下横板の浴室側面と下枠の縦向板の下面と縦枠の浴室側下面と前記凹陥部の底面との間を水密材で水密することができる。
このようにすれば枠体の下部と凹陥部の底面との間を確実に水密できる。
【００１０】
第１の発明においては、前記水受け材は、その縦板の下部に下横板を有し、この下横板と、横板の脱衣室側に係止部をそれぞれ設け、
前記下枠の本体部の浴室側と、浴室側部の縦向板の下部に、前記係止部が係止する係止受部をそれぞれ設け、
前記係止部を係止受部に係止して水受け材を取り付けできる。
このようにすれば、水受け材を下枠の下部に簡単に取り付けることができる。
【００１１】
第２の発明は、枠体に障子を開閉自在に設けた浴室建具であって、
前記枠体を構成する下枠の浴室側部の下部に水受け材を設け、
この水受け材は、前記浴室側部の下部に設けられる本体部と、この本体部の長手方向両端部に設けた水受け部、ポケット部を有し、
前記水受け部は、本体部の脱衣室寄りと連続した上向きで、前記枠体を構成する縦枠の外側面と対向して縦枠と下枠の浴室側部の接合部から漏れた浴室内の水を受け止め、
前記ポケット部は、本体部の浴室寄りと連続した上面が開口した箱形状で、前記水受け部で受け止めた水を溜めるようにしたことを特徴とする浴室建具である。
【００１２】
第２の発明においては、前記下枠の浴室側部は、本体部の上面と連続した見込み方向の横向板と、この横向板の浴室側端と連続した下向きの縦向板を有し、
前記水受け材の本体部は、前記横向板の下面に沿う横板と、この横板と連続し縦向板の脱衣室側面に沿う縦板と、この縦板の下部と連続し浴室側に向かう下横板を有し、
前記水受け部は、前記横板の長手方向端部と連続した上向き片を有し、この上向き片が縦枠の本体部の外側面と対向し、
前記ポケット部は、縦枠の取付部の浴室側の下部が嵌まり合うようにできる。
【００１３】
第２の発明においては、前記下枠の浴室側部、水受け材のポケット部、縦枠の浴室側部を浴室の床の脱衣室側縁に設けた排水用の上向きの凹陥部内に入り込むようにできる。
このようにすれば、水受け部で受けとめ、ポケット部に溜まった水を凹陥部から排水することができる。
【００１４】
第３の発明は、床パンと壁パネルを有し、その出入口に請求項１〜８いずれか１項に記載の浴室建具を取り付けたことを特徴とする浴室建具付きユニットバスである。
【発明の効果】
【００１５】
第１の発明によれば、縦枠と下枠の接合部から漏れた浴室内の水は、水受け材に沿って浴室の床に流れるので、建物躯体側に流れることがない。
第２の発明によれば、縦枠と下枠の接合部から漏れた浴室内の水は、水受け部で受け止められてポケット部に溜まるので、建物躯体側に流れることがない。
【図面の簡単な説明】
【００１６】
【図１】浴室建具の正面図である。
【図２】図１のＡ−Ａ拡大断面図である。
【図３】図１のＢ−Ｂ拡大断面図である。
【図４】枠体の下部斜視図である。
【図５】水受け材の斜視図である。
【図６】第２の実施の形態を示す下枠部分の縦断面図である。
【図７】第２の実施の形態を示す縦枠部分の横断面図である。
【図８】縦枠の下部斜視図である。
【図９】水受け材の斜視図である。
【発明を実施するための形態】
【００１７】
図１に示すように、枠体１に障子２を開閉自在に設けて浴室建具とする。
前記枠体１は、左右の縦枠３の見付け方向の内側の面、つまり対向した内側面３ａに、上枠４、下枠５の長手方向端面４ａ，５ａを突き当て、ビス等の固着具で連結して縦枠３と上枠４、下枠５を接合している。
前記障子２は、２つの障子２ａ，２ａの召合せ部を折曲自在に連結し、一方の障子２ａの戸尻部を上枠４、下枠５に見込み方向に回動自在に支承し、他方の障子２ａの戸先部を上枠４、下枠５の長手方向にスライド自在に支承してあり、浴室建具は折れ戸である。
この浴室建具は、開き戸、引戸などでも良い。
【００１８】
図１に仮想線で示すように、ユニットバスを構成する床パン（浴室の床）６と壁パネル（浴室の壁）７で出入口用の開口部８を形成し、その開口部８の左右開口縁に設けた左右の枠取付縦枠９に、枠体１の左右の縦枠３を固着具で固着することで、浴室建具を浴室の出入口に設ける。
これにより、浴室建具付きユニットバスを構成する。
【００１９】
前記下枠５は図２に示すように、本体部５０と、この本体５０の見込み方向浴室側に設けた浴室側部５１と、前記本体部５０の見込み方向脱衣室側に設けた脱衣室側部５２を有する。
前記本体部５０は、上面板５０ａと、この上面板５０ａの見込み方向両側に設けた浴室側縦板５０ｂ、脱衣室側縦板５０ｃと、この浴室側縦板５０ｂの下部と脱衣室側縦板５０ｃの下部を連結する下面板５０ｄで空洞部（中空部）５０ｅを有する断面形状で、その上面板５０ａの下面にビスホール５３を有し、上面に凹条溝５４を有している。
この凹条溝５４に水密材５５を上向きに設け、障子２を閉じたときに障子２の脱衣室面の下部が水密材５５に圧着し、下枠５の上面と障子２との間から浴室の水が脱衣室側に浸入することを抑制する。
前記浴室側縦板５０ｂ（本体部５０の浴室側）に係止受部、例えば上向き鉤形の係止受片５６を有する。
【００２０】
前記浴室側部５１は薄い板状で、前記上面板５０ａと連続し見込み方向に向かう横向板５１ａと、この横向板５１ａの浴室側端と連続し下方に向かう縦向板５１ｂで略鉤形状の断面形状で、横向板５１ａの下面見込み方向中間にビスホール５７を有し、縦向板５１ｂの下部に係止受部、例えば下向きの凹条溝５８を有する。
前記横向板５１ａは水平に対して本体部側が高く、浴室側が低くなるように斜めで、その横向板５１ａの上面の水が浴室側にスムーズに流れ落ちるようにしてある。
前記脱衣室側部５２は、本体部５０の上面板５０ａと連続し、見込み方向の脱衣室側に向かう薄い板状である。
この脱衣室側部５２は脱衣室床１０と連結される。
【００２１】
前記縦枠３は図３に示すように、見込み方向に向かう板状の本体部３０と、この本体部３０に見付け方向の外側に向けて設けた取付部３１を有し、この取付部３１は浴室側板３１ａと脱衣室側板３１ｂを連結板３１ｃで連結したコ字形状で、取付部３１と本体部３０とで空洞部（中空部）３２を形成している。
【００２２】
前記下枠５の長手方向端面５ａを縦枠３の本体部３０の見込み方向の内側の面、つまり対向した内側面３０ａ（縦枠３の内側面３ａ）に水密材、例えばシーラー１１を介して突き当て、その本体３０からビス１２を下枠５のビスホール５３，５７に螺合して下枠５と縦枠３を接合する。つまり、下枠５と縦枠３を縦通しで接合する（図３、図４参照）。
【００２３】
前記縦枠３の本体部３０の下部は、図２、図４に示すように、下枠５の下面形状に合わせた凹凸形状で、取付部３１の連結板３１ｃ、脱衣室側板３１ｂの下部は図４に示すように切欠きしてある。
例えば、本体部３０の下部は、浴室側の凹形切欠部３０ｂ、脱衣室側の鉤形切欠部３０ｃを有し、その凹形切欠部３０ｂと鉤形切欠部３０ｃとの間の部分に下枠５の本体部５０が接合している。
【００２４】
このように、下枠５の浴室側部５１は板状であるから縦枠３との接合部の上下寸法が小さく、シーラー１１による水密部の上下寸法が小さいので、下枠５の浴室側部５１と縦枠３の接合部から浴室内の水が漏れ易い。
そこで、下枠５の浴室側部５１の下部に水受け材２０を長手方向全長に亘って設け、この水受け材２０の長手方向両端部を図１、図３、図４に示すように、縦枠３よりも見付け方向外側に突出させると共に、その水受け材２０の浴室側部を浴室の床、例えばユニットバスの床パン６まで突出する。
【００２５】
これにより、前述したように下枠５の浴室側部５１と縦枠３の接合部から漏れた水は、水受け材２０に落下し、その水受け材２０に沿って床パン６まで流れ落ちるので、建物躯体側に流れることがない。
【００２６】
前記水受け材２０は、図５に示すように、見込み方向に向かう横板２１と、この横板２１の浴室側と連続した下向きの縦板２２と、この縦板２２の下端と連続し、見込み方向の浴室側に向かう下横板２３とで略クランク形状の断面形状の押し出し材より成る。材質はアルミ、樹脂などである。
前記横板２１が浴室側部５１の横向板５１ａの下面に沿うと共に、縦板２２が縦向板５１ｂの脱衣室側面に沿い、下横板２３が縦向板５１ｂの下面に沿うように設けられる。
前述したように、下枠５の浴室側部５１の横向板５１ａはビスホール５７を有しているので、横板２１は横向板５１ａのビスホール５７よりも脱衣室側の下面に沿うと共に、縦板２２はビスホール５７よりも脱衣室側において縦向板５１ｂの脱衣室側面に沿って設けられる。
【００２７】
前記水受け材２０の横板２１には、前記本体部５０の係止受部に係止する係止部、例えば係止受片５６と長手方向からスライドして係合する係止片２４が設けてある。
前記水受け材２０の下横板２３には、前記縦向部５１ｂの被係止部に係止する係止部、例えば前記凹条溝５８に長手方向からスライドして係合する係止片２５が設けてある。
このようであるから、水受け材２０を下枠５の浴室側部５１の下部に位置させ、その係止片２４を係止受片５６、係止片２５を凹条溝５８にそれぞれ合致させた状態で、その水受け材２０を長手方向にスライドすることによって簡単に取り付けできる。
【００２８】
前記床パン６の脱衣室側縁には排水用の上向きの凹陥部６０を有する。例えば、床パン６の脱衣室側縁を、内側縦向部６１、この内側縦向部６１の下部と連続し見込み方向の脱衣室側に向かう横向部６２、この横向部６２の浴室側部と連続し上方に向かう外側縦向部６３で上向きコ字形状とし、前述の凹陥部６０とする。
前記枠体１は、その下部の浴室側が凹陥部６０内に入り込むように取り付けられ、下枠５の浴室側部５１の縦向部５１ｂ、縦枠３の凹形切欠部３０ｂよりも浴室側部分、水受け材２０の縦板２２、下横板２３が凹陥部６０内に入り込み、その凹陥部６０の外側縦向部６３が水受け材２０の横板２１の下面と対向する。
【００２９】
このようにすることで、下枠５と縦枠３の接合部から漏れ、水受け材２０に落下した水は、その水受け材２０に沿って床パン６の凹陥部６０内に流れ落ちるので、その水の排水処理が容易である。
【００３０】
前記凹陥部６０は、外側（浴室側）が内側（床パン６側）よりも高く、その凹陥部６０に水が満杯となると、床パン６に流れ、外側にこぼれ落ちないようにしてある。
例えば、外側縦向部６３を内側縦向部６１よりも高くしてある。
【００３１】
前記水受け材２０の下横板２３は縦板２２の長手方向端面よりも突出し、その下横板２３の浴室側端面に水密材２６が、その長手方向全長に亘って設けてある。
その水密材２６は凹陥部６０の底面（横向部６２の上面）と、下枠５の浴室側部５１の縦向板５１ｂ、縦枠３の浴室側下面（本体部３０の下端面、取付部３１の浴室側板３１ａの下面）との間を水密し、その部分から浴室の水が浸入しないようにしてある。
【００３２】
次に、本発明の第２の実施の形態を図６〜図９に基づいて説明する。
縦枠３は前述の第１の実施の形態の縦枠３と同様である。
下枠５は、浴室側部５１の縦向部５１ｂの下部と連続して下横向部５１ｃが見込み方向で本体部側に向けて設けてあると共に、係止受部を有しない点が第１の実施の形態の下枠５と相違し、他は同様である。
前記下枠５の浴室側部５１の下部に水受け材２０が設けてある。
この水受け材２０は、本体部７０と、この本体部７０の長手方向両端部に設けた水受け部８０、ポケット部９０を有している。
【００３３】
前記本体部７０は、見込み方向に向かう横板７１と、この横板７１の浴室側と連続した下向きの縦板７２と、この縦板７２の下端と連続し見込み方向の浴室側に向かう下横板７３で略クランク形状の断面形状で、下枠５の浴室側部５１の下部に長手方向全長に亘って設けられる。
例えば、横板７１が浴室側部５１の横向部５１ａの下面に沿い、縦板７２が縦向部５１ｂの脱衣室側面に沿い、下横板７３が下横向部５１ｃの下面に沿うように設けられる。
つまり、本体部７０は下枠の浴室側部５１の下部に第１の実施の形態と同様に設けられる。
【００３４】
前記水受け部８０は、本体部７０の脱衣室寄りの長手方向端部と連続して上向きに設けられ、縦枠３の見付け方向の外側の面、つまり外側面と対向し、下枠５の浴室側部５１と縦枠３との接合部から漏れた浴室内の水を受け止め、下枠５から下に流れ落ちないようにする。
例えば、本体部７０の横板７１の長手方向端部と連続して上向き片８１を設け、この上向き片８１を縦枠３の本体部３０の見付け方向の外側の面、つまり外側面３０ｄと対向させることで、前述の水受け部８０としてある。
【００３５】
前記ポケット部９０は、本体部７０の浴室寄りの長手方向端部と連続して設けられ、上面が開口した略箱形状で、縦枠３の取付部３１の浴室側の下部が嵌まり合い、前記水受け部８０（上向き片８１）で受け止めた水を溜めるようにしてある。
例えば、本体部７０の下横板７３と連続した底板９１と、この底板９１の浴室側と連続した浴室側上向片９２と、脱衣室側と連続した脱衣室側上向片９３と、この底板９１、各上向片９２，９３の長手方向端部を連続する端部上向片９４とで上面が開口した箱形状である。
この脱衣室側上向片９３と前記上向き片８１が連続している。
【００３６】
前記下枠５の浴室側部５１の浴室側寄りと、水受け材２０の縦板７２、下横板７３と、縦枠３の浴室側部が床パン６の凹陥部６０内に入り込み、その凹陥部６０の外側縦向部６３が水受け材２０の本体部７０の横板７１の下面と対向している。
【００３７】
このようであるから、下枠５の浴室側部５１と縦枠３の接合部から漏れた浴室内の水は、上向き片８１で受け止められて下枠５の下方に流れ落ちないようにできる。
前述のように、上向き片８１で受け止められた水はポケット部９０内に溜まるので、その水は建物躯体側に流れることがない。
このポケット９０から漏れた水は、凹陥部６０内に流れ、その凹陥部６０から排水される。
しかも、凹陥部６０の外側縦向部６３は内側縦向き部６１よりも高く、凹陥部６０内の水は外側縦向部６３を越えて流れ落ちることがない。
【符号の説明】
【００３８】
１…枠体、２…障子、３…縦枠、４…上枠、５…下枠、２０…水受け材、２１…横板、２２…縦板、２３…下横板、３０…本体部、３１…取付部、５０…本体部、５１…浴室側部、５２…脱衣室側部、６０…凹陥部、６１…内側縦向部、６３…外側縦向部、７０…本体部、７１…横板、７２…縦板、７３…下横板、８０…水受け部、８１…上向き片、９０…ポケット部。
【図１】
0005601655.tif 000002
【図２】
0005601655.tif 000003
【図３】
0005601655.tif 000004
【図４】
0005601655.tif 000005
【図５】
0005601655.tif 000006
【図６】
0005601655.tif 000007
【図７】
0005601655.tif 000008
【図８】
0005601655.tif 000009
【図９】
0005601655.tif 000010